(57)【特許請求の範囲】
【請求項１】
下端に車輪を具える左右の脚柱フレームと、この左右の脚柱フレームを連結する水平フレームとを具備して葱類の苗床を跨いで走行する門型の移動台車に対し、葱類の上方に延びた葉を切断するための苗床の幅方向にほぼ水平に設定されるカッターを有する剪葉機ユニットを搭載して葱類の葉を剪葉する装置において、この装置は、前記カッターにより剪葉された葉をカッター後方へ移送する送風機と、前記カッターの後方に設けられ送風機により風送された葉を受け取る収容体とを具えて成り、且つこの収容体は、前記水平フレーム上を左右に移動自在であることを特徴とする葱類の剪葉装置。
【請求項２】
前記剪葉機ユニットは、前記水平フレームに対しスライド自在に係止され、且つ前記収容体は、この剪葉機ユニットの剪葉機フレームに対し係止されることにより、前記水平フレーム上を移動可能に構成されていることを特徴とする請求項１記載の葱類の剪葉装置。
【請求項３】
前記剪葉機ユニットは、転動輪によって前記水平フレーム上を転動して移動することを特徴とする請求項２記載の葱類の剪葉装置。
【請求項４】
前記収容体は、移動台車に対し装着された状態で、収容される葱類の葉の取り出しまたは均し作業を行うための開閉蓋を有していることを特徴とする請求項１、２または３記載の葱類の剪葉装置。
【請求項５】
前記収容体は、移動台車に対し装着された状態で、収容される葱類の葉を掻き出すための掻出口を有していることを特徴とする請求項４記載の葱類の剪葉装置。
【発明の詳細な説明】
【０００１】
【発明の属する技術分野】
本発明はハウスなどでの玉葱やニラなどの葱類の育苗時における伸びた葉の剪葉を行う装置に関するものであり、特にこの剪葉された葉の処理に関する機構に係るものである。
【０００２】
【発明の背景】
玉葱を栽培するにあたっては、まず玉葱の種を、土が入ったポットに播いてこのポットを苗箱に複数個並べ、この苗箱を温室のハウス内の苗床上へ複数個敷設して、発芽させて育苗する。そしてある程度苗が大きく育ったところで本圃場へ移植することが行われている。ところで前記ハウス内の育苗時に葉が伸びてくると、苗が倒れたり、他の苗の受光状態を阻害するため、また苗をより太く丈夫にするために葉の高さを比較的短く切り揃えることが行われている。ここで剪葉した葉は、剪葉後に取り除くことが必要であるが、例えば直接苗床上に足を踏み入れるようなことは苗床を荒らすためできず、そのため苗床の両側部から不自然な姿勢でこの作業を行うことを余儀なくされ、その作業は労力を要するものであった。
【０００３】
そこで、近年苗床を跨いで移動し、剪葉を行う剪葉装置が用いられている。このものは、苗床を跨ぐように門型状をした移動台車に対し、カッターを水平に姿勢設定した剪葉機ユニットを搭載して成るもので、刈り取った葉を移動台車に搭載した収容袋や収容カゴ等の収容体に送風機等を用いて投入する構成を採り、このような装置として例えば本出願人が既に出願に及んでいる特開２０００−６９８４８号「葱類の剪葉装置」がある。なおこのものは、収容体をカッターの側方に設置するが、その他カッターの後方に収容体を設置するタイプの剪葉装置もある。また一般的に苗床は、３００ｃｍ等の広い幅を有しているため、往きに例えば苗床の左半分の葉を刈り取り、帰りに右半分の葉を刈り取るような刈り取り態様を採ることが多く、従って剪葉機ユニットのカッターは、ほぼ苗床の半分程度の長さを有したものが使用されることが多い。また剪葉を行っていると、苗床の途中において収容体が刈り取られた葉で満杯となることがあるが、この場合には収容体を剪葉装置から取り外して、例えば苗床の脇のその場所に一時葉を載置しておき、剪葉終了後に片づけるような作業形態を採っている。
【０００４】
ところでハウス内は、苗床同士の間は通路として使用され、比較的広いスペースがあるのが普通であるが、ハウスの壁と苗床との間は、狭くなっているのが苗床の慣習的な形成形態である。従って前述したように剪葉途中において収容体１０が満杯となったときに収容体１０内の葉Ａ１を取り出す作業は、収容体１０が図６（ａ）に示すようにハウスＨの壁Ｈ１側に位置している際に、作業スペースが狭いため極めて作業が大変であり、不便であるという問題点があった。また取り付けられた収容体１０を逐次取り外し再び取り付けるような作業も面倒であるし、また取り付け及び取り外しを行う際に、収容体１０が作業者が立っている個所と反対側の通路側に位置しているときには、苗床に足を踏み入れるわけにはいかないため、一度反対側に回り込まなければならなかったり、またかろうじてその立っている個所から着脱が行える場合にも極めて無理な姿勢を強いられ、過度の疲労や例えば腰を悪くするなどの心配もあった。また前述したように一度刈り取って収容された葉Ａ１を取り出し、苗床Ｇの脇に載置し、剪葉終了後に片づけるような作業は、あまり効率のよい作業ではなかった。
【０００５】
【開発を試みた技術的課題】
本発明はこのような問題点を解決するためになされたものであって、剪葉途中における収容体からの葉の取り出しや収容体内の葉の均しが常に楽に行える新規な葱類の剪葉装置の開発を試みたものである。
【０００６】
【課題を解決するための手段】
すなわち請求項１記載の葱類の剪葉装置は、下端に車輪を具える左右の脚柱フレームと、この左右の脚柱フレームを連結する水平フレームとを具備して葱類の苗床を跨いで走行する門型の移動台車に対し、葱類の上方に延びた葉を切断するための苗床の幅方向にほぼ水平に設定されるカッターを有する剪葉機ユニットを搭載して葱類の葉を剪葉する装置において、この装置は、前記カッターにより剪葉された葉をカッター後方へ移送する送風機と、前記カッターの後方に設けられ送風機により風送された葉を受け取る収容体とを具えてなり、且つこの収容体は、前記水平フレーム上を左右に移動自在であることを特徴として成るものである。
この発明によれば、苗床の左右側脇のいずれか広いスペースで、収容体に収容された葉の取り出し作業や収容体内の葉の均し作業が行える。従って作業がやりやすく、効率がアップし、また苗床の反対脇側から作業を行うような無理な姿勢を強いられることもない。
【０００７】
また請求項２記載の葱類の剪葉装置は、前記要件に加え、前記剪葉機ユニットは、前記水平フレームに対しスライド自在に係止され、且つ前記収容体は、この剪葉機ユニットの剪葉機フレームに対し係止されることにより、前記水平フレーム上を移動可能に構成されていることを特徴として成るものである。
この発明によれば、剪葉機ユニットと収容体が一体的に移動できるため、収容体をスライド移動させる際に、剪葉機ユニットから取り外すような作業が不要となる。更に剪葉機ユニットの位置決め作業も楽である。また葱類の剪葉装置を戻り走行させる際に、剪葉機ユニットと収容体を一度に水平フレームの反対サイドに付け替えることが可能となる。
【０００８】
更に請求項３記載の葱類の剪葉装置は、前記請求項２記載の要件に加え、前記剪葉機ユニットは、転動輪によって前記水平フレーム上を転動して移動することを特徴として成るものである。
この発明によれば、スライド移動がスムーズに行われ、極めて小さな力で移動できる。
【０００９】
更にまた請求項４記載の葱類の剪葉装置は、前記要件に加え、前記収容体は、移動台車に対し装着された状態で、収容される葱類の葉の取り出しまたは均し作業のための開閉蓋を有していることを特徴として成るものである。
この発明によれば、収容体内の葉を取り出したり、収容がスムーズに行われるように偏った葉を均す際に、逐次収容体を取り外す必要がない。
【００１０】
更にまた請求項５記載の葱類の剪葉装置は、前記請求項４記載の要件に加え、前記収容体は、移動台車に対し装着された状態で、収容される葱類の葉を掻き出すための掻出口を有していることを特徴として成るものである。
この発明によれば、収容体からの葉の取り出しが容易となる。
【００１１】
【発明の実施の形態】
以下本発明を図示の実施の形態に基づき説明する。図中符号１に示す装置は、本発明に係る葱類の剪葉装置であって、このものは葱類の苗床Ｇを跨いで走行する門状の移動台車２と、この移動台車２に搭載され葱類の上方に延びた葉Ａ１を切断する剪葉機ユニット３と、剪葉された葉Ａ１を剪葉機ユニット３の後方へ吹き飛ばすこれと一体の送風機４と、この吹き飛ばされた葉Ａ１を収容する本発明の特徴たる収容体１０と、この収容体１０に収容できなくなった葉Ａ１を一時収容する補助ストッカ５とを具備して成る。
なお本発明の葱類の剪葉装置１はハウスＨ等で育苗され、伸びた葉Ａ１を切断する必要がある葱類に用いられるものであるが、具体的にはこのような葱類として玉葱やニラがある。以下の図示の実施の形態では玉葱Ａを例として説明する。
【００１２】
以下これら部材について詳細に説明する。
まず移動台車２について説明する。移動台車２は門状に形成されて成るもので、苗床Ｇの左右両サイドに垂直に立った状態で位置される脚柱フレーム２１と、この脚柱フレーム２１に対し昇降スライダ２３により昇降自在に係止される水平フレーム２０とから成り、前記脚柱フレーム２１の下端前後にはゴム製タイヤの車輪２２が設けられる。なお水平フレーム２０は三本の角パイプを一直線状に嵌め合わせて成るものであり、車幅を変更できるように横幅方向に伸縮自在に構成されるものを、二本前後に平行に設けて成るものである。なお車輪２２は左右両方もしくはどちらか一方を例えば溝付き車輪としてレールを走行するようにしても構わず、また手動ではなく駆動モータを設けて駆動輪により自動走行する形態を採ることも可能である。
【００１３】
左右の脚柱フレーム２１の上部中央には、ボールネジ２４が回転自在に設けられ、このボールネジ２４の下方に、前記昇降スライダ２３が螺合されている。昇降スライダ２３は、案内コロ２３ａにより脚柱フレーム２１に対し挾持するように係止されており、この左右の昇降スライダ２３に水平フレーム２０が架設されている。ボールネジ２４の上部には、ハンドル２４ａが設けられており、このハンドル２４ａを回転させることにより昇降スライダ２３が昇降し、水平フレーム２０の高さ位置が変更される。
【００１４】
次に剪葉機ユニット３について説明する。剪葉機ユニット３は、まず剪葉機支持フレーム３０に対し、直接剪葉作用を担う部材である原動機３１と、この原動機３１により駆動されるカッター３２が設けられて成る。カッター３２は、一例としていわゆるバリカン式のものを用いて玉葱Ａの葉Ａ１を切断する。なお剪葉機ユニット３は一度の走行では、苗床Ｇのほぼ片面を切断する型式のものを用いるものである。剪葉機支持フレーム３０の上部には、水平フレーム２０に係止するための吊持ロッド３３が立ち上げられて設けられ、この吊持ロッド３３の先端には、前後二本の水平フレーム２０の間に架設される移動軸３５がソケット３４により水平面方向に回動自在に接続されている。そして、この移動軸３５の両端部には、溝付きの転動輪３６が回転自在に設けられており、この転動輪３６が水平フレーム２０上を転動することにより剪葉機支持フレーム３０に支持される剪葉機ユニット３及びこれと一体の後述する送風機４の関連諸部材が左右方向にスライド自在に構成される。
【００１５】
次に送風機４について説明する。送風機４も前記剪葉機ユニット３の一部として剪葉機支持フレーム３０に対し設けられるものであり、具体的には送風機４のファン４０が前記原動機３１の下側に設けられ、剪葉機ユニット３の他端側に送風口を向けるように設定される。なお送風口にはカッター３２の斜め前上部に配設された送風管４１の端部が接続され、送風管４１に設けられた複数のノズル４２から吹き出されるエアにより、切断された葉Ａ１がカッター３２後方へ吹き飛ばされるように構成される。
なお送風機４のファン４０の羽根は、例えば原動機３１の駆動軸により直接的に駆動するものであるが、その他例えば適宜原動機３１により発電し、その電気によって送風機４を駆動するような実施の形態を採っても構わない。
【００１６】
次に収容体１０について説明する。図１または図５に示されるように、収容体１０は平面視で矩形状の収容受皿１１の上部に開閉蓋１２を後方を自由端として開閉自在に設けて成る。なお収容体１０の前後左右は、葱類の剪葉装置１に搭載された状態で剪葉作業進行方向側（すなわちカッター３２の装着されている側）を前方とし、その反対を後方とし、進行方向に向かって右側を右方、左側を左方とする。収容体１０は、具体的には収容受皿１１の前端に葉Ａ１の受入口１０ａを形成するための受入枠１５が門状に設けられ、またこの受入枠１５のすぐ後方に、コの字状の収容上枠１３が収容受皿１１に対し、回動自在に接続されている。そしてこの収容上枠１３に対し、前記ネット１４が張設され開閉蓋１２が形成されている。また収容受皿１１の左右側板１１ｂは、底板１１ａに対しヒンジ１１ｃにより回動自在に接続されており、側板１１ｂを下方へ回動して掻出口１１ｈを開口形成することにより葉Ａ１を収容受皿１１の側方から掻き出しやすいようにされている。また前記受入枠１５の上端左右二カ所に、係止杆１６が上方に延びて設けられ、この先端にはフック１６ａが具えられている。そしてこのフック１６ａにより前記剪葉機支持フレーム３０の移動軸３５に係止される。
【００１７】
次に補助ストッカ５について説明する。補助ストッカ５は、一例として四角形状のカゴ内にネットが張られた物を用い、玉葱Ａの葉Ａ１を剪葉する際に水平フレーム２０上に載置して使用する。もちろん補助ストッカ５は、網袋等を用い移動台車２のいずれかに吊るし下げるようにしても構わない。
【００１８】
本発明に係る葱類の剪葉装置１は以上のような具体的な形態を有し、以下この作動態様について説明する。
（１）カッターの高さ位置調整
玉葱Ａの葉Ａ１を剪葉する位置にカッター３２を位置調整するため、左右のボールネジ２４のハンドル２４ａを回転して昇降スライダ２３を上下動させ、カッター３２の高さ位置を調整する。そしてカッター３２はほぼ水平に位置させる。
【００１９】
（２）剪葉並びに葉の集葉
葱類の剪葉装置１を一人乃至は二人で押しながら前進させ、カッター３２により玉葱Ａの葉Ａ１を剪葉して刈り揃える。剪葉された葉Ａ１は送風機４による送風によってカッター３２の後方側に吹き飛ばされ、受入口１０ａから収容体１０内に送り込まれる。
【００２０】
（３）反転戻り剪葉
前述のような剪葉作業を進め苗床Ｇの終端まで剪葉を行ったら、次に戻り走行して苗床Ｇの反対面の剪葉を行う。この作業は図７に示すようにまず水平フレーム２０の端部側に位置した吊持ロッド３３を持ち上げ移動軸３５を９０°回転させて、前後の水平フレーム２０間を通して下方へ下げ、そして１８０°旋回させて水平フレーム２０の他端側へ持ち回すようにする。そして移動軸３５を前後の水平フレーム２０間を通して上方に持ち上げ、再度９０°回転させて前後の水平フレーム２０上に移動軸３５先端の転動輪３６をそれぞれ係止する。
以上のセッティング作業によりカッター３２は剪葉されていない苗床Ｇの反対面側上に位置するとともにカッター３２の刃は、反対方向を向く。
【００２１】
（４）剪葉された葉の処理
剪葉された葉Ａ１は、上述したように収容体１０内に収容されるが、剪葉途中において剪葉された葉Ａ１が満杯になり、前の受入口１０ａからこぼれ落ちそうになったら、剪葉を一時中断する。そしてこのとき収容体１０が、図６（ａ）に示されるようにハウスＨの壁Ｈ１等の狭小幅スペースＳ２側に位置しているときには、図６（ｂ）に示されるように反対側の広幅スペースＳ１側に収容体１０を移動させる。本実施の形態では、剪葉機支持フレーム３０全体について水平フレーム２０上をスライドさせることにより収容体１０を広幅スペースＳ１側に位置させる。収容体１０が広幅スペースＳ１側に位置したら、開閉蓋１２を開放し、更に側板１１ｂを外側に回動させ掻出口１１ｈを開口する。移動台車２上に設けた補助ストッカ５を手に持ち、前記側板１１ｂが回動された収容受皿１１下方に臨ませ、収容受皿１１上の葉Ａ１を手や適宜道具を用いてかきとり、前記補助ストッカ５内に収容する。苗床Ｇの始端側に到達できるだけの余裕スペースが収容体１０内にできればよいため、その分量が補助ストッカ５内に収容されたら、掻取作業を終了する。剪葉機支持フレーム３０全体を再度狭小幅スペースＳ２側に位置させ、剪葉機ユニット３を駆動して作業を再開する。また収容体１０内の葉の収容に不具合が発生している場合には、適宜収容体１０の開閉蓋１２を開放し、収容体１０内の葉を均したり、あるいは取り除いたりする。
なお例えば収容体１０の容量が大きく、苗床Ｇ上で満杯になることがない場合などには、補助ストッカ５を用いずに、例えば収容体１０内で偏って収容された葉Ａ１を均す作業のみを行う。
【００２２】
【他の実施の形態】
本発明の基本的な実施の形態は以上のようであるが、その他種々の改変が行い得る。
すなわち前記基本的な実施の形態では、収容体１０を転動輪３６により移動自在な剪葉機ユニット３に係止することにより、移動台車２の水平フレーム２０に対し左右方向に移動自在としたが、収容体５０を直接水平フレーム２０′に対し移動自在に係止するようにしても構わない。図８に示すものは、収容体係止フレーム５１に水平フレーム２０′係止用の転動輪５２を設け、水平フレーム２０′に対し移動自在に係止するようにしたものである。もちろん収容体５０は、水平フレーム２０′に対し着脱自在であり、剪葉方向によって移動台車の前後に設置可能である。なおこの収容体５０の具体的な形態は、一例として収容受皿５３の左右端部に左右端部側をそれぞれ自由端としてウイング開閉式の開閉扉５４が設けられており、開閉扉５４が開放された際には掻出口５５が開口される。なお開閉扉５４は、後端側を自由端としてウイング開閉するようにしても構わない。また開閉扉５４の間には、一例として葉Ａ１が飛び出さないようにネット５６が張設されている。
【００２３】
また収容体１０を図９に示すような袋状の収容体６０で実施することも可能である。この収容体６０は、網袋である収容袋６１を袋掛枠６２に係止し、この袋掛枠６２を袋載置台６３に装着して使用するものである。なお網袋以外にも適宜の袋を用いることが可能である。
袋掛枠６２は一例として正面視で矩形状をなし、中央に仕切りフレーム６２ａが設けられ、二つに区画されている。もちろんこの袋掛枠６２も仕切りフレーム６２ａを設けなかったり、あるいは三つに仕切り、一つや三つの収容袋６１で収容することも可能である。袋掛枠６２には、複数のフック６２ｂが設けられ、ここに二枚の収容袋６１がここに係止されるとともに、袋載置台６３の受入枠６５に係止するための掛止フック６２ｃが上部左右に設けられている。
また袋載置台６３は、前記収容袋６１が載置される平板状の載置部６４と、この載置部６４前端に立ち上げられる門形の受入枠６５と、受入枠６５の左右上部に立ち上げて設けられる先端にフック６７を有する係止杆６６とを具えて成る。受入枠６５の両側部には、前記袋掛枠６２を係止するための掛止フック６８が設けられている。そして受入枠６５に対し前記袋掛枠６２がそれぞれの掛止フックで係止され、この収容体６０は、前記基本的な実施の形態と同様に係止杆６６のフック６７にて剪葉機支持フレーム３０の移動軸３５に係止される。もちろん前記他の実施の形態で示したように収容体６０を直接水平フレーム２０′に対し移動自在に係止するような実施形態を採ることも可能である。
【００２４】
なお上記のような実施の形態では、あらかじめ収容体５０を移動台車の水平フレーム２０′の前後にそれぞれ一つずつ設けておくようにしても構わない。
【００２５】
また前記基本的実施の形態における補助ストッカ５は、前記水平フレーム２０の上部等に左右方向へスライド自在に係止するようにしても構わない。
【００２６】
【発明の効果】
請求項１記載の葱類の剪葉装置によれば、移動台車２の水平フレームに対し、刈り取られた葉Ａ１を収容する収容体１０を左右に移動自在に設けたため、苗床Ｇの左右側脇のいずれか広いスペースで、収容体１０に収容された葉Ａ１の取り出し作業や収容体１０内の葉Ａ１の均し作業が行える。従って作業がやりやすく、効率がアップし、また苗床Ｇの反対脇側から作業を行うような無理な姿勢を強いられることもない。
【００２７】
また請求項２記載の葱類の剪葉装置によれば、剪葉機ユニット３は、水平フレームに対しスライド自在に係止され、且つ収容体１０は、この剪葉機ユニット３の剪葉機支持フレーム３０に対し係止されることにより、水平フレーム上を移動可能に構成されているため、剪葉機ユニット３と収容体１０が一体的に移動でき、収容体１０をスライド移動させる際に、剪葉機ユニット３から取り外すような作業が不要となる。更に剪葉機ユニット３の位置決め作業も楽である。また葱類の剪葉装置１を戻り走行させる際に、剪葉機ユニット３と収容体１０を一度に水平フレームの反対サイドに付け替えることが可能となる。
【００２８】
更に請求項３記載の葱類の剪葉装置によれば、剪葉機ユニット３は、転動輪３６によって水平フレーム上を転動して移動するため、スライド移動がスムーズに行われ、極めて小さな力で移動できる。
【００２９】
更にまた請求項４記載の葱類の剪葉装置によれば、収容体１０は、移動台車２に対し装着された状態で、収容される葱類の葉Ａ１を取り出すまたは均すことのできる開閉蓋１２を有しているため、収容体１０内の葉Ａ１を取り出したり、収容がスムーズに行われるように偏った葉Ａ１を均す際に、逐次収容体１０を取り外す必要がない。
【００３０】
更にまた請求項５記載の葱類の剪葉装置によれば、収容体１０は、移動台車２に対し装着された状態で、収容される葱類の葉Ａ１を掻き出すための掻出口１１ｈを有しているため、収容体１０からの葉Ａ１の取り出しが容易となる。
【図面の簡単な説明】
【図１】本発明の葱類の剪葉装置を用い、玉葱の葉を剪葉する実施の形態を示す斜視図である。
【図２】本発明の葱類の剪葉装置を示す正面図である。
【図３】同上平面図である。
【図４】同上側面図である。
【図５】収容体を正面方向から見た斜視図である。
【図６】ハウス内の苗床の配置例及び収容体の移動の様子を示す作動状態図である。
【図７】葱類の剪葉装置を方向転換する場合の作業手順を示す説明図である。
【図８】収容体の構成を異ならせた他の実施の形態を示す斜視図である。
【図９】同上更に他の実施の形態を示す分解斜視図である。
【符号の説明】
１      葱類の剪葉装置
２      移動台車
３      剪葉機ユニット
４      送風機
５      補助ストッカ
１０    収容体
１０ａ  受入口
１１    収容受皿
１１ａ  底板
１１ｂ  側板
１１ｃ  ヒンジ
１１ｈ  掻出口
１２    開閉蓋
１３    収容上枠
１４    ネット
１５    受入枠
１６    係止杆
１６ａ  フック
２０    水平フレーム
２０′  水平フレーム
２１    脚柱フレーム
２２    車輪
２３    昇降スライダ
２３ａ  案内コロ
２４    ボールネジ
２４ａ  ハンドル
３０    剪葉機支持フレーム
３１    原動機
３２    カッター
３３    吊持ロッド
３４    ソケット
３５    移動軸
３６    転動輪
４０    ファン
４１    送風管
４２    ノズル
５０    収容体
５１    収容体係止フレーム
５２    転動輪
５３    収容受皿
５４    開閉扉
５５    掻出口
５６    ネット
６０    収容体
６１    収容袋
６２    袋掛枠
６２ａ  仕切りフレーム
６２ｂ  フック
６２ｃ  掛止フック
６３    袋載置台
６４    載置部
６５    受入枠
６６    係止杆
６７    フック
６８    掛止フック
Ａ      玉葱
Ａ１    葉
Ｇ      苗床
Ｈ      ハウス
Ｈ１    壁
Ｓ１    広幅スペース
Ｓ２    狭小幅スペース
【図１】
0003588751.tif 000002
【図２】
0003588751.tif 000003
【図３】
0003588751.tif 000004
【図４】
0003588751.tif 000005
【図５】
0003588751.tif 000006
【図６】
0003588751.tif 000007
【図７】
0003588751.tif 000008
【図８】
0003588751.tif 000009
【図９】
0003588751.tif 000010